(57)【要約】【課題】ＡＶ信号記録装置において、番組視聴中に、リアルタイムでディスプレイに表示されているＡＶ信号から遡って、記録したいテレビコマーシャル（ＣＭ）等のＡＶ信号を記録媒体に記録することができるようにする。【解決手段】ＡＶ信号記録装置において、メモリに記録されているＡＶ信号を更新してＡＶ信号を記録し続けるメモリ記録手段と、メモリに記録されているＡＶ信号からカットの変わり目を検出するカット検出手段（＃２１）と、検出されたカットをディスプレイに表示するカット表示手段（＃２２）と、表示されたカットの中から記録媒体に記録したい範囲を選択するカット選択手段（＃２３）と、選択された範囲のＡＶ信号を記録媒体に記録するＡＶ信号記録手段（＃２６）とを備える。【選択図】        図４
2004266769.tif 000002
【特許請求の範囲】
【請求項１】
放送局から配信される放送番組に係る映像・音声信号（ＡＶ信号）を受信する受信手段と、前記受信したＡＶ信号を圧縮符号化する信号符号化手段と、前記符号化されたＡＶ信号を一時的に記録しておくメモリと、前記符号化されたＡＶ信号を記録する記録媒体と、前記記録媒体へのＡＶ信号の記録を制御する記録制御手段とを有するＡＶ信号記録装置において、
前記メモリに記録されているＡＶ信号を古い順に更新して、入力されたＡＶ信号を記録し続けるメモリ記録手段と、
前記メモリに記録されたＡＶ信号について、近隣する複数の画面情報を比較してその差分を求め、その差分に基づいて、数秒あるいは数十秒単位でコンテンツが切り替わるテレビコマーシャル（ＣＭ）、若しくは、これに準ずる動画の場面（カット）の変わり目を検出するカット検出手段と、
ユーザにより特定キーが操作されたとき、前記カット検出手段により検出されたカット毎に、本装置に接続されたディスプレイにサムネイル表示するカット表示手段と、
ユーザの操作により前記サムネイル表示されたカットの中から記録媒体に記録したいＡＶ信号の範囲を選択するカット選択手段と、
前記選択された範囲内のＡＶ信号を記録媒体に記録するＡＶ信号記録手段とを備え、
番組視聴中に、リアルタイムでディスプレイに表示されているＡＶ信号から遡って、記録したいＣＭ等のＡＶ信号を記録媒体に記録することができることを特徴とするＡＶ信号記録装置。
【請求項２】
入力されたＡＶ信号を符号化する信号符号化手段と、前記符号化されたＡＶ信号を一時的に記録しておくメモリと、前記符号化されたＡＶ信号を記録する記録媒体と、前記記録媒体へのＡＶ信号の記録を制御する記録制御手段とを有するＡＶ信号記録装置において、
前記メモリに記録されているＡＶ信号を更新して、ＡＶ信号を記録し続けるメモリ記録手段と、
ユーザにより特定キーが操作されたとき、前記メモリに記録されているＡＶ信号を一定のカット毎に、本装置に接続されたディスプレイに表示するカット表示手段と、
ユーザの操作により前記表示されたカットの中から記録媒体に記録したいＡＶ信号の範囲を選択するカット選択手段と、
前記選択された範囲内のＡＶ信号を記録媒体に記録するＡＶ信号記録手段とを有することを特徴とするＡＶ信号記録装置。
【請求項３】
前記カット表示手段は、前記メモリに記録されたＡＶ信号について、近隣する複数の画面情報を比較してその差分を求め、その差分に基づきカットの変わり目を検出し、検出されたカット毎に、本装置に接続されたディスプレイに表示することを特徴とする請求項２に記載のＡＶ信号記録装置。
【発明の詳細な説明】
【０００１】
【発明の属する技術分野】
本発明は、入力された映像・音声信号（ＡＶ信号）を符号化して記録媒体に記録するＡＶ信号記録装置に関するものである。
【０００２】
【従来の技術】
従来、放送局から配信される放送番組に係るＡＶ信号を符号化して記録媒体に記録する装置が知られている。このような装置では、番組の視聴中、例えば、好きなタレントが出演しているテレビコマーシャル（ＣＭ）を見つけたとしてもＣＭの始めから記録することができず、また、ＣＭはいつ放送されるか分からないため、予め予約録画することもできなかった。
【０００３】
一方、ＡＶ信号からＣＭ部分を検出して、ＡＶ信号の記録時にまたは再生時に、所定の情報を外部に示すように制御する装置が知られている（例えば、特許文献１参照）。また、放送局からＣＭに係るＡＶ信号に重畳して配信されるコマーシャル詳細情報から視聴者の好みに適合するデータを抽出し、これを利用してＣＭを記録等する装置が知られている（例えば、特許文献２参照）。
【０００４】
【発明が解決しようとする課題】
ところが、特許文献１に記載された発明においては、ＡＶ信号からＣＭ部分を検出してＡＶ信号記録の際にはＣＭ部分をカットし、また、再生の際にはＣＭ部分を早送りすることはできるものの、所望するＣＭを記録するものではない。特許文献２に記載の発明においては、視聴者の嗜好に適合するＣＭは記録できるものの、放送局からコマーシャル詳細情報が配信されることが前提となる。また、番組視聴中に、リアルタイムでディスプレイに表示されているＡＶ信号から遡って、記録したいＣＭ等のＡＶ信号を記録媒体に記録することはできない。
【０００５】
【特許文献１】
特開２０００−５７６５５号公報
【特許文献２】
特開２００１−２７５０５２号公報
【０００６】
本発明は、上述した問題点を解決するためになされたものであり、番組視聴中に、リアルタイムでディスプレイに表示されているＡＶ信号から遡って、記録したいＣＭ等のＡＶ信号を記録媒体に記録することができるＡＶ信号記録装置を提供することを目的とする。
【０００７】
【課題を解決するための手段】
上記目的を達成するために請求項１の発明は、放送局から配信される放送番組に係るＡＶ信号を受信する受信手段と、前記受信したＡＶ信号を圧縮符号化する信号符号化手段と、前記符号化されたＡＶ信号を一時的に記録しておくメモリと、前記符号化されたＡＶ信号を記録する記録媒体と、前記記録媒体へのＡＶ信号の記録を制御する記録制御手段とを有するＡＶ信号記録装置において、前記メモリに記録されているＡＶ信号を古い順に更新して、入力されたＡＶ信号を記録し続けるメモリ記録手段と、前記メモリに記録されたＡＶ信号について、近隣する複数の画面情報を比較してその差分を求め、その差分に基づいて、数秒あるいは数十秒単位でコンテンツが切り替わるＣＭ、若しくは、これに準ずる動画の場面（カット）の変わり目を検出するカット検出手段と、ユーザにより特定キーが操作されたとき、前記カット検出手段により検出されたカット毎に、本装置に接続されたディスプレイにサムネイル表示するカット表示手段と、ユーザの操作により前記サムネイル表示されたカットの中から記録媒体に記録したいＡＶ信号の範囲を選択するカット選択手段と、前記選択された範囲内のＡＶ信号を記録媒体に記録するＡＶ信号記録手段とを備え、番組視聴中に、リアルタイムでディスプレイに表示されているＡＶ信号から遡って、記録したいＣＭ等のＡＶ信号を記録媒体に記録することができることを特徴とするものである。
【０００８】
この構成においては、放送局から配信されたＣＭ等のＡＶ信号をメモリに一時記録する。番組の視聴中、記録媒体に記録したいＣＭ等を見つけたときにはメモリに記録されているＡＶ信号を利用することにより、リアルタイムでディスプレイに表示されているＡＶ信号から遡って、記録したいＣＭ等のＡＶ信号を記録媒体に記録することができる。
【０００９】
チューナにより受信されたＡＶ信号は、エンコーダにより圧縮符号化されメモリに一時記録される。ＡＶ信号が入力されるにつれてメモリは徐々にその容量を消費していき何も記録されていない領域がなくなると、既に記録されているＡＶ信号を古い順から更新して新たに入力されたＡＶ信号を記録する。このように記録されているＡＶ信号を更新していくことにより入力されたＡＶ信号を連続的に記録し続けることができる。この際、メモリに記録されるＡＶ信号は信号符号化手段により圧縮符号化されているので、使用するメモリの容量を節約することができる。
【００１０】
動画は少しずつ異なる画面を次々と表示することにより連続しているかのように画面を作り出しており、同じカットであれば、前後の画面は非常によく似た画面になる。これに対し、カットの切り替わりがあった場合には、切り替わりの前後の画面は、通常、大きく異なったものとなっている。従って、メモリに記録されたＡＶ信号について、近隣する複数の画面情報を比較してその差分を求めることにより、カットの変わり目を検出することができる。このようにして、カットの前後の変わり目を検出していくことにより各カットを検出することができる。ここで、上記カット検出手段の性質上、ＣＭは必ずしも１カットで検出される必要はなく、複数のカットにより構成されるＣＭにおいては複数のカットが検出される場合がある。画面情報の差分を利用してカットを検出することにより、例えば、ＣＭに関する付加情報を持たない放送信号についてもＣＭの変わり目を検出することができる。
【００１１】
検出されたカットは、ユーザにより特定キーが操作されたとき、本装置に接続されたディスプレイにサムネイル表示される。ユーザはディスプレイに表示されているカットの中から所望するカットを選択し、選択された範囲内のＡＶ信号は記録媒体に記録される。検出されたカットをサムネイル表示することにより、記録媒体に記録したいＡＶ信号の範囲の選択が容易となり、また、リアルタイムで受信しているＡＶ信号についても重畳して表示することも可能となるため、カットを選択する際の利便性を高めることができる。
【００１２】
請求項２の発明は、入力されたＡＶ信号を符号化する信号符号化手段と、前記符号化されたＡＶ信号を一時的に記録しておくメモリと、前記符号化されたＡＶ信号を記録する記録媒体と、前記記録媒体へのＡＶ信号の記録を制御する記録制御手段とを有するＡＶ信号記録装置において、前記メモリに記録されているＡＶ信号を更新して、ＡＶ信号を記録し続けるメモリ記録手段と、ユーザにより特定キーが操作されたとき、前記メモリに記録されているＡＶ信号を一定のカット毎に、本装置に接続されたディスプレイに表示するカット表示手段と、ユーザの操作により前記表示されたカットの中から記録媒体に記録したいＡＶ信号の範囲を選択するカット選択手段と、前記選択された範囲内のＡＶ信号を記録媒体に記録することができることを特徴とするものである。
【００１３】
この構成においては、入力されたＡＶ信号をメモリに一時記録する。番組の視聴中、記録媒体に記録したいＣＭ等を見つけたときにはメモリに記録されているＡＶ信号を利用することにより、リアルタイムでディスプレイに表示されているＡＶ信号から遡って、記録したいＣＭ等のＡＶ信号を記録媒体に記録することができる。
【００１４】
入力されたＡＶ信号はエンコーダより符号化されメモリに一時記録される。そして、ユーザにより特定キーが操作されたとき、メモリに記録されているＡＶ信号は一定のカット毎に、本装置に接続されたディスプレイに表示される。ここで、一定のカット毎に表示するとは、メモリに記録されたＡＶ信号について近隣する複数の画面情報を比較してその差分を求めることにより検出されたカット毎に表示する他、ＣＭに係るＡＶ信号に重畳して放送局から配信されるコマーシャルに関する付加情報により、ＣＭ毎に分割して表示してもよい。ユーザはディスプレイに表示されているカットの中から所望するカットを選択し、選択された範囲内のＡＶ信号は記録媒体に記録される。
【００１５】
請求項３の発明は、請求項２に記載のカット表示手段おいて、メモリに記録されたＡＶ信号について、近隣する複数の画面情報を比較してその差分を求め、その差分に基づきカットの変わり目を検出し、検出されたカット毎に、本装置に接続されたディスプレイに表示することを特徴とするものである。この構成においては、画面情報の差分を利用してカットを検出することにより、例えば、ＣＭに関する付加情報を持たない放送信号についてもＣＭのカットを検出することができる。
【００１６】
【発明の実施の形態】
本発明の一実施形態によるＡＶ信号記録装置について図面を参照して説明する。図１はＡＶ信号記録装置のブロック構成を示している。ＡＶ記録装置１は放送局から配信されたＡＶ信号を受信するチューナ（受信手段）１１と、受信したＡＶ信号をＭＰＥＧ２（Ｍｏｖｉｎｇ  Ｐｉｃｔｕｒｅ  Ｅｘｐｅｒｔｓ  Ｇｒｏｕｐ  Ｐｈａｓｅ  ２）規格に準拠して圧縮符号化するエンコーダ（信号符号化手段）１２と、符号化されたＡＶ信号を一時的に記録しておくメモリ１３（メモリ記録手段）と、符号化されたＡＶ信号を記録する記録媒体１４（ＡＶ信号記録手段）と、ＡＶ信号記録装置１の制御を司るＣＰＵ１５と、リモコン装置４から送信された赤外線信号を受信するリモコン受信部１６と、本装置１に接続されたディスプレイ３に受信したＡＶ信号等を出力するＡＶ出力部１７によって構成されている。
【００１７】
エンコーダ１２は入力されたＡＶ信号を圧縮符号化してメモリ１３に出力すると共に、ＡＶ信号を符号化せずにＡＶ出力部１７を介してディスプレイ３に出力する。ＣＰＵ１５は、記録媒体１４へのＡＶ信号の記録の制御（記録制御手段）、メモリ１３に記録されているＡＶ信号からのカットの検出（カット検出手段）、及び検出されたカットをＡＶ出力部１７を介してディスプレイ３に表示する（カット表示手段）際の動作制御を司る。ユーザはリモコン装置４のＣＭ記録キー４１（特定キー）を操作することにより検出されたカットをディスプレイ３に表示させ、選択キー４２を操作することにより表示されたカットの中から記録媒体１４に記録したいＡＶ信号の範囲を選択する（カット選択手段）。
【００１８】
受信したＡＶ信号をメモリ１３に記録する際の処理について図２のフローチャートを参照して説明する。チューナ１１により受信されたＡＶ信号はエンコーダ１２に入力される（＃１）。エンコーダ１２は入力されたＡＶ信号を圧縮符号化して（＃２）、メモリ１３に出力し、メモリ１３は入力されたＡＶ信号を記録する（＃３）。図３はメモリ１３に記録されたＡＶ信号の各カットを模式的に示している。本装置１が起動されると、メモリ１３にはカット００から順番にＡＶ信号が記録される。ＡＶ信号が入力されるにつれてメモリ１３は徐々にその容量を消費していき何も記録されていない領域がなくなると（カット２０）、既に記録されているＡＶ信号を古い順、すなわちカット００から順番に更新して新しいＡＶ信号を記録する。このように、メモリ１３に記録されているＡＶ信号を更新していくことにより入力されたＡＶ信号を連続的に記録し続けることができる。
【００１９】
次に、ＣＭ記録キー４１が押下された際のＣＰＵ１５の処理について図４のフローチャートを参照して説明する。ＣＭ記録キー４１が押下されるとＣＰＵ１５はメモリ１３に記録されているＡＶ信号からカットの変わり目を検出する（＃２１）。カットの変わり目の検出は、メモリ１３に記録されたＡＶ信号について近隣する複数の画面情報を比較してその差分を求めることにより行われる。検出されたカットは本装置１に接続されているディスプレイ３にサムネイル表示される（＃２２）。ユーザはリモコン装置４の選択キー４２を操作することにより所望する記録開始カット及び記録終了カットを選択する（＃２３）。この間、本装置１に入力されたＡＶ信号はメモリ１３に記録され続けており、ユーザによりカットの選択が行われるまでに（＃２３でＮＯ）、新たにメモリ１３に記録されたＡＶ信号からカットの変わり目が検出されたか判断される（＃２４）。新たに入力されたＡＶ信号からカットの変わり目が検出されれば（＃２４でＹＥＳ）、検出されたカットをサムネイル表示に追加する（＃２５）。ユーザはこのように更新され続けるサムネイル表示から所望するカットを選択し（＃２３でＹＥＳ）、選択された範囲のＡＶ信号は記録媒体１４に記録される（＃２６）。
【００２０】
図５はＣＭ記録キー４１を操作することにより表示された（＃２２）カット選択画面３０の表示例を示す図である。カット選択画面３０には、リアルタイムで受信されているＡＶ信号が画像３００として表示されると共に、カット検出手段（＃２１）により検出されたカット（１１７，１１８，１１９，１２０）がサムネイル表示されている。ここでは、例えば、図３においてメモリ１３にカット１９が記録されている際にＣＭ記録キー４１が押下された場合について示している。カット選択画面３０には、カット１９（１１９）が表示されると共に、先行するカット１７（１１７），カット１８（１１８）、及びユーザがカットを選択するまでに更新して表示された（＃２５）カット２０（１２０）が表示されている。ユーザはサムネイル表示されたカットの中からカーソル３１をリモコン装置４の選択キー４２を用いて操作することにより所望するカットを選択する（＃２３でＹＥＳ）。ユーザは、このような流れで所望するＣＭ等のカットを記録媒体１４に記録することにより、例えば、好きなタレント等の画像ライブラリを容易に作成することができる。
【００２１】
なお、本発明は上記実施形態の構成に限られることなく種々の変形が可能であり、例えば、メモリ１３に記録するＡＶ信号は、ＭＰＥＧ２規格に準拠して圧縮符号化された信号に限られることなく、ＭＰＥＧ４等の他の規格に準拠して圧縮符号化されたものであってもよい。また、優れた画質及び音質を記録するために非圧縮のデジタル信号を記録するようにしてもかまわない。また、カットの表示方法はサムネイル表示でなくとも、例えばスライド形式により表示してもよい。また、メモリ１３に記録されたＡＶ信号の更新は必ずしも古い順にする必要はない。また、本装置１により記録されるＡＶ信号はＣＭに関するものに限られずメモリ１３の容量の範囲内であれば記録しておきたい放送番組のカットであってもよい。
【００２２】
【発明の効果】
以上のように請求項１の発明によれば、番組の視聴中、記録媒体に記録したいＣＭ等を見つけたときにはメモリに記録されているＡＶ信号を利用することにより、リアルタイムでディスプレイに表示されているＡＶ信号から遡って、記録したいＣＭ等のＡＶ信号を記録媒体に記録することができる。メモリに記録されるＡＶ信号は信号符号化手段により圧縮符号化されているので、使用するメモリの容量を節約することができる。画面情報の差分を利用してカットを検出することにより、例えば、ＣＭに関する付加情報を持たない放送信号についてもＣＭのカットを検出することができる。サムネイル表示することにより、ディスプレイ上で記録媒体に記録したいカットの範囲の選択が容易となり、また、リアルタイムで受信しているＡＶ信号についても重畳して表示することも可能となるため、カット選択手段の際の利便性を高めることができる。
【００２３】
本装置を利用することにより、例えば、いつ放送されるか分からないＣＭ等を、視聴中に見つけたときに、記録したいカットの始めに遡って記録することができるのでユーザの利便性を向上することができる。
【００２４】
請求項２の発明によれば、番組の視聴中、記録媒体に記録したいＣＭ等を見つけたときにはメモリに記録されているＡＶ信号を利用することにより、リアルタイムでディスプレイに表示されているＡＶ信号から遡って、記録したいＣＭ等のＡＶ信号を記録媒体に記録することができる。
【００２５】
請求項３の発明によれば、画面情報の差分を利用してカットを検出することにより、例えば、ＣＭに関する付加情報を持たない放送信号についてもＣＭのカットを検出することができる。
【図面の簡単な説明】
【図１】本発明の一実施形態によるＡＶ信号記録装置のブロック構成図。
【図２】同装置のメモリにＡＶ信号が記録される際の処理を示すフローチャート。
【図３】同装置のメモリに記録されるＡＶ信号を説明するイメージ図。
【図４】同装置のＣＭ記録キーが押下された際における処理を示すフローチャート。
【図５】同装置のカット選択画面の表示例を示す図。
【符号の説明】
１    ＡＶ信号記録装置
３    ディスプレイ（カット表示手段）
１１    チューナ（受信手段）
１２    エンコーダ（信号符号化手段）
１３    メモリ（メモリ記録手段）
１４    記録媒体（ＡＶ信号記録手段）
１５    ＣＰＵ（記録制御手段、カット検出手段、カット表示手段）
４１    ＣＭ記録キー（特定キー）
４２    選択キー（カット選択手段）
【図１】
2004266769.tif 000003
【図２】
2004266769.tif 000004
【図３】
2004266769.tif 000005
【図４】
2004266769.tif 000006
【図５】
2004266769.tif 000007